(57)【要約】【課題】筐体上面が平面なプリンタにおいて、給排紙の操作と、インクタンク、記録ヘッドの交換を装置前面から可能にして操作性を向上させ、また、インクタンクと記録ヘッド間の圧損失を抑えることを目的とする。【解決手段】Ｕターンパスの略円弧の軸方向に給紙カセット５０、排紙カセット６１を引き出せるようにし、排紙カセット６１前面は中が見えるように透明窓で構成した。また、インクタンク、記録ヘッド１１は正面から見て並列に並べた。排紙中に排紙カセット６１をロックし、印字終了後に警告を出した後、自動で排紙カセット６１が押し出されるようにした。【選択図】　　　　図１
2004142314.tif 000002
【特許請求の範囲】
【請求項１】
記録用紙を給紙する給紙手段と、前記記録用紙を記録用紙搬送経路に沿って給送する給送手段と、前記記録用紙の搬送方向を１８０度転回させるためのＵ字形状をした記録用紙搬送経路と、前記記録用紙にインク吐出口からインクを吐出して記録するインクジェット記録ヘッドと、前記記録用紙を複数枚格納する用紙積載部と、前記インクジェット記録ヘッドにインクを供給する本体に固定された１つ、または、複数のインクタンクとを有する記録装置であって、前記搬送経路のＵ字形状内部に前記インクジェット記録ヘッドと、前記用紙積載部と、前記インクタンクを配置し、前記記録用紙の片側端面を用紙基準とするインクジェット記録装置において、前記搬送経路のＵ字形状の略円筒部の軸線に略平行な方向から前記記録用紙を前記用紙積載部に対して補充可能にする用紙挿入口を持ち、前記用紙積載部内部に格納されている前記記録用紙の用紙基準が前記用紙挿入口側に位置することを特徴とするインクジェット記録装置。
【請求項２】
記録用紙を給紙する給紙手段と、前記記録用紙を記録用紙搬送経路に沿って給送する給送手段と、前記記録用紙の搬送方向を１８０度転回させるためのＵ字形状をした記録用紙搬送経路と、前記記録用紙にインク吐出口からインクを吐出して記録するインクジェット記録ヘッドと、前記記録用紙を複数枚格納する用紙積載部と、前記インクジェット記録ヘッドを保持し前記搬送経路のＵ字形状の略円筒部の軸線と略平行に往復運動可能なキャリッジと、前記キャリッジに搭載されたインクタンクとを有する記録装置であって、前記搬送経路のＵ字形状内部に前記インクジェット記録ヘッドと、前記用紙積載部と、前記キャリッジと、前記インクタンクとを配置し、前記記録用紙の片側端面を用紙基準とするインクジェット記録装置において、前記軸線に略平行な方向から前記記録用紙を前記用紙積載部に対して補充可能にする前記用紙挿入口を持ち、前記用紙積載部内部に格納されている前記記録用紙の用紙基準が前記用紙挿入口側に位置することを特徴とすることを特徴とするインクジェット記録装置。
【請求項３】
前記インクジェット記録ヘッドが前記キャリッジに１つ以上搭載されており、前記インクジェット記録ヘッドと前記キャリッジとのどちらか片方に凸部、もう片方に凹部を有し、前記凸部、前記凹部が係合・離間可能であり、前記凸部、または前記凹部に連動する、前記インクジェット記録ヘッド、または、前記キャリッジに搭載された固定解除手段を有し、前記固定解除手段を動かすことで前記キャリッジと前記インクジェット記録ヘッドの係合を解除する構成を有する記録装置において、前記固定解除手段が前記用紙挿入口側、または上面に設けられており、また、前記インクジェット記録ヘッドが複数存在するときには、前記インクジェット記録ヘッドが前記キャリッジの往復運動方向に垂直な方向に並列されていることを特徴とする請求項２に記載したインクジェット記録装置。
【請求項４】
前記インクジェット記録ヘッドが前記キャリッジに複数搭載されており、前記インクジェット記録ヘッドが前記キャリッジの往復運動方向に並列されている際に、それぞれの前記インクジェット記録ヘッドが、前記用紙挿入口側から見て位置をずらして配置されていることを特徴とする請求項２に記載したインクジェット記録装置。
【請求項５】
前記インクタンクが１つ以上存在し、前記インクタンクに凸部、前記インクジェット記録ヘッドと前記キャリッジとのどちらか片方に凹部、もしくは、前記インクタンクに凹部、前記インクジェット記録ヘッドと前記キャリッジのどちらかに凸部、を有し、前記凸部、前記凹部が係合・離間可能であり、前記凸部、または前記凹部に連動する、前記インクジェット記録ヘッド、または、前記キャリッジ、または、前記インクタンクに、搭載された固定解除手段を有し、前記固定解除手段を動かすことで前記キャリッジと前記インクタンク、または、前記インクジェット記録ヘッドと前記インクタンクの係合を解除する構成を有する記録装置において、前記解除手段が前記用紙挿入口側、または、上面に設けられており、また、前記インクタンクが複数存在するときには、前記インクタンクがキャリッジの往復運動方向に垂直な方向に並列されていることを特徴とする請求項２に記載したインクジェット記録装置。
【請求項６】
前記インクタンクが前記キャリッジ、または、前記インクジェット記録ヘッドに複数搭載されており、前記インクタンクが前記キャリッジの往復運動方向に並列されている際に、それぞれの前記インクタンクが、前記用紙挿入口側から見て位置をずらして配置されていることを特徴とする請求項２に記載したインクジェット記録装置。
【請求項７】
前記記録用紙を、印字終了後、順次格納する排紙積載部を有し、前記排紙積載部は装置本体内の排紙格納部に格納され、前記排紙積載部が前記用紙挿入口側に引き出せることを特徴とする請求項１または２に記載したインクジェット記録装置。
【請求項８】
前記排紙積載部が、前記排紙積載部の底面に対して垂直、かつ、前記用紙基準の反対側の用紙端面に沿ったガイド面を１つ、または、複数有し、前記ガイド面を、前記排紙積載部内の前記排紙積載部の底面よりも低い高さ、または、同じ高さに収納可能なことを特徴とする請求項７に記載したインクジェット記録装置。
【請求項９】
前記排紙積載部が、前記排紙積載部の底面に対して垂直、かつ、前記用紙基準に平行な前記ガイド面を１つ有し、前記搬送経路のＵ字形状の略円筒部の軸線方向に前記ガイド面が移動可能なことを特徴とする請求項７に記載したインクジェット記録装置。
【請求項１０】
前記排紙積載部底面の前記用紙挿入口側の反対側端部に、前記排紙積載部底面に対して垂直なストッパー面を有し、前記排紙積載部を引き出した時に前記ストッパーが通紙可能領域にさしかかる前に前記排紙積載部を止めるストッパーを有し、前記ストッパーを解除するストッパー解除手段を有することを特徴とする請求項７に記載したインクジェット記録装置。
【請求項１１】
前記排紙積載部が、前記用紙挿入口側端部に前記排紙積載部の底面に対して垂直な前面を有し、排紙後、前記排紙積載部に格納された、印字可能である給送方向の長さの最小サイズの前記記録用紙が装置前方より視認可能であることを特徴とする請求項７に記載したインクジェット記録装置。
【請求項１２】
前記前面の一部分を透明材にすることにより、印字可能である給送方向の長さの最小サイズの前記記録用紙が装置前方より視認可能となるようにしたことを特徴とする請求項１１に記載したインクジェット記録装置。
【請求項１３】
前記排紙積載部底面の前記用紙挿入口側の反対側端部稜線に沿って、対向する二つの斜面からなる凸部を有することを特徴とする請求項７に記載したインクジェット記録装置。
【請求項１４】
平面形状の前記排紙積載部を有し、前記排紙積載部の前記用紙挿入口側と反対側の端面が、前記用紙基準より前記用紙挿入口側に引き出せないようにするためのストッパーを有し、前記ストッパーを解除するストッパー解除手段を有することを特徴とする請求項７に記載したインクジェット記録装置。
【請求項１５】
前記排紙積載部が収納された状態でロックするロック手段と、装置本体からの印字情報に基づき、前記ロック手段を制御する制御手段を有することを特徴とする請求項７に記載したインクジェット記録装置。
【請求項１６】
前記ロック手段に連動して、前記排紙積載部を排紙格納部より前記用紙挿入口側に押し出す押し出し手段を有することを特徴とする請求項１５に記載したインクジェット記録装置。
【請求項１７】
前記押し出し手段により前記排紙積載部が押し出される前に前記排紙積載部が前記用紙挿入口側に出ることを警告する警告手段を有することを特徴とする請求項１６に記載したインクジェット記録装置。
【請求項１８】
前記排紙積載部の底面よりも摩擦係数の高い部分、または、摩擦係数の高い部材を少なくとも１ヶ所以上、前記底面と略同一平面上に設けることを特徴とする請求項７に記載したインクジェット記録装置。
【発明の詳細な説明】
【０００１】
【発明の属する技術分野】
本発明は、インクジェット記録装置に関するものである。
【０００２】
【従来の技術】
近年、デジタル情報家電として、従来のパーソナルコンピュータ以外にも多くのデジタル製品が家庭内に普及しつつある。例えば、ＤＶＤであるとか、デジタルハイビジョンテレビ、ＢＳデジタルチューナなどがこれに当たる。放送事業としても、デジタル放送化が行われる予定もある。一方で、カメラ、ビデオカメラの映像機器分野でもデジタル化が進み、デジタルカメラ、デジタルビデオカメラも急速に普及している。こうした背景の中、デジタル放送の一場面を保管し印刷する、あるいは、撮影したデジタル画像をテレビ画面で閲覧し印刷するといった、プリントニーズが存在する。
【０００３】
このように、デジタル家電の一部としてプリンタを存在させるためには、テレビ周辺にある他の機器とのサイズ的なマッチングを行うことが望ましく、他の機器と同じ収納ラックに収納可能であれば、より望ましい。例えば、ＤＶＤ、デジタルチューナ等はビデオデッキと同様に、装置前面から基本的な操作が可能であり、筐体上面がほぼ平面となっており他の機器等を重ね置くことも可能であるなどの、共通事項があり、プリンタにおいても前記の共通事項を満足することが望ましい。
【０００４】
上記のような観点の中、図１４に示すような、Ｕ字形状をした用紙搬送経路内に記録ヘッド、インクタンク、給紙カセットを配置したプリンタが提案されている。このような構成によると、装置全体の高さを低くし、筐体上面が平面で、装置の前面から基本的操作をすることができる。
【０００５】
【発明が解決しようとする課題】
しかしながら、従来のような構成では以下に示すような問題点があった。
【０００６】
収納ラックに入れた時に奥行きが大きすぎて収納ラックに収まらない場合がある。
【０００７】
インクジェット記録ヘッドが装置の奥側に配置されているため、インクジェット記録ヘッドを交換する時には装置本体ごと収納ラックから引き出さなくてはならない。
【０００８】
キャリッジ上にインクタンクを固定した記録装置では、インクタンクが奥側に存在するために、記録ヘッド、及び、インクタンクを交換する時には装置本体ごと収納ラックから引き出さねばならない。
【０００９】
装置本体にインクタンクを固定した記録装置では、インクタンクを手前に配置すると記録ヘッドとインクタンクの距離が長くなり、記録ヘッドとインクタンクの間での圧損失が大きくなってインク供給が難しくなる。
【００１０】
排紙された記録用紙が装置本体内部に格納されるため視認しにくい。
【００１１】
排紙された記録用紙が装置本体内部に格納されるため取り出しにくい。
【００１２】
印字中に排紙カセットを引き出し、もとどおりにセットし直すと排紙中の記録用紙が折れたり傷が付いたりする。
【００１３】
排紙カセットを平面状にすると、排紙中の記録用紙の折れや傷をある程度防止できるが、引き出した際に排紙カセットから印字後の記録用紙が滑り、装置内に印字後の記録用紙が残されてしまう。
【００１４】
上記問題点を顧み、本発明は、奥行き方向が小さく、記録ヘッドやインクタンクの交換が正面から操作でき、かつ、インク供給の容易で排紙された記録用紙の取り扱いなど操作性に優れたインクジェット記録装置の提供を目的とする。
【００１５】
【課題を解決するための手段】
本請求項１に係る発明は、本体に固定されたインクタンクを持つ記録装置において、前記搬送経路のＵ字形状の略円筒部の軸線に略平行な方向から前記記録用紙を前記用紙積載部に対して補充可能にする用紙挿入口を持ち、前記用紙積載部内部に格納されている前記記録用紙の用紙基準が前記用紙挿入口側に位置することを特徴とする。この構成により、本体に固定されたインクタンクを持つ記録装置において、装置本体の奥行きを小さくでき、また、用紙挿入口側にインクジェット記録ヘッドとインクタンクの両方を近い距離で配置することができ、さらに、どのサイズの記録用紙も端部を用紙挿入口よりにセットすることができ、また、排出された記録用紙も用紙挿入口側に位置することとなる。
【００１６】
本請求項２に係る発明は、キャリッジ上に固定されたインクタンクを持つ記録装置において、前記軸線に略平行な方向から前記記録用紙を前記用紙積載部に対して補充可能にする前記用紙挿入口を持ち、前記用紙積載部内部に格納されている前記記録用紙の用紙基準が前記用紙挿入口側に位置することを特徴とする。この構成により、キャリッジ上に固定されたインクタンクを持つ記録装置において、装置本体の奥行きを小さくでき、また、用紙挿入口方向にインクジェット記録ヘッドとインクタンクを配置することができ、さらに、どのサイズの記録用紙も端部を用紙挿入口よりにセットすることができ、また、排出された記録用紙も用紙挿入口側に位置することとなる。
【００１７】
本請求項３に係る発明は、インクジェット記録ヘッドの固定解除手段が前記用紙挿入口側、または上面に設けられており、また、前記インクジェット記録ヘッドが複数存在するときには、前記インクジェット記録ヘッドが前記キャリッジの往復運動方向に垂直な方向に並列されていることを特徴とする。この構成により、インクジェット記録ヘッドの固定解除手段を装置の用紙挿入口側に位置させることができ、また、インクジェット記録ヘッドが複数存在するときには、各々のインクジェット記録ヘッドがキャリッジの往復運動方向に垂直な方向に平行に並列されているので、すべてのインクジェット記録ヘッドの固定解除手段を装置の用紙挿入口側に位置させることができるようになる。
【００１８】
本請求項４に係る発明は、前記インクジェット記録ヘッドが前記キャリッジに複数搭載されており、前記インクジェット記録ヘッドが前記キャリッジの往復運動方向に並列されている際に、それぞれの前記インクジェット記録ヘッドが、前記用紙挿入口側から見て位置をずらして配置されていることを特徴とする。この構成により、用紙挿入口側からすべてのインクジェット記録ヘッドを触ることが可能となる。
【００１９】
本請求項５に係る発明は、前記固定解除手段が前記用紙挿入口側、または、上面に設けられており、また、前記インクタンクが複数存在するときには、前記インクタンクがキャリッジの往復運動方向に垂直な方向に並列されていることを特徴とする。この構成により、インクタンクの固定解除手段を装置の用紙挿入口側に位置させることができ、また、インクタンクが複数存在するときには、各々のインクタンクがキャリッジの往復運動方向に垂直な方向に平行に並列されているので、すべてのインクタンクの固定解除手段を装置の用紙挿入口側に位置させることができるようになる。
【００２０】
本請求項６に係る発明は、前記インクタンクが前記キャリッジ、または、前記インクジェット記録ヘッドに複数搭載されており、前記インクタンクが前記キャリッジの往復運動方向に並列されている際に、それぞれの前記インクタンクが、前記用紙挿入口側から見て位置をずらして配置されていることを特徴とする。この構成により、用紙挿入口側からすべてのインクタンクに触ることが可能となる。
【００２１】
本請求項７に係る発明は、前記記録用紙を、印字終了後、順次格納する排紙積載部を有し、前記排紙積載部は装置本体内の排紙格納部に格納され、前記排紙積載部が前記用紙挿入口側に引き出せることを特徴とする。この構成により装置本体内部に排出された印字後の記録用紙を引き出すことができる。
【００２２】
本請求項８に係る発明は、前記排紙積載部が、前記排紙積載部の底面に対して垂直、かつ、前記用紙基準の反対側の用紙端面に沿ったガイド面を１つ、または、複数有し、前記ガイド面を使用しないときには、前記ガイド面を、前記排紙積載部内の前記排紙積載部の底面よりも低い高さ、または、同じ高さに収納可能なことを特徴とする。この構成により、排紙された記録用紙の端面を規制することができ、排紙された記録用紙がずれるのを防止できる。
【００２３】
本請求項９に係る発明は、前記排紙積載部が、前記排紙積載部の底面に対して垂直、かつ、前記用紙基準に平行な前記ガイド面を１つ有し、前記搬送経路のＵ字形状の略円筒部の軸線方向に前記ガイド面が移動可能なことを特徴とする。この構成により、１つのガイドが前記軸線方向に移動可能なので、排出された記録用紙の全サイズの端面を１つのガイドで規制することができ、排出された記録用紙がずれるのを防止することができる。
【００２４】
本請求項１０に係る発明は、前記排紙積載部の底面の前記用紙挿入口側の反対側端部に、前記排紙積載部の底面に対して垂直なストッパー面を有し、前記排紙積載部を引き出した時に前記ストッパーが通紙可能領域にさしかかる前に前記排紙積載部を止めるストッパーを有し、前記ストッパーを解除するストッパー解除手段を有することを特徴とする。この構成により、排紙途中の記録用紙に排紙積載部のストッパー面が当たることを防止することができる。
【００２５】
本請求項１１に係る発明は、前記排紙積載部が、前記用紙挿入口側端部に前記排紙積載部の底面に対して垂直な前面を有し、排紙後、前記排紙積載部に格納された、印字可能である給送方向の長さの最小サイズの前記記録用紙が装置前方より視認可能であることを特徴とする。この構成により、全サイズの排出後の記録用紙が用紙挿入口から視認可能となる。
【００２６】
本請求項１２に係る発明は、前記前面の一部分を透明材にすることにより、印字可能である給送方向の長さの最小サイズの前記記録用紙が装置前方より視認可能となるようにしたことを特徴とする。この構成により、排紙積載部の前面に切り欠き部のない状態を保ちつつ、排出後の全サイズの記録用紙を装置正面から視認することができる。
【００２７】
本請求項１３に係る発明は、前記排紙積載部底面の前記用紙挿入口側の反対側端部稜線に沿って、対向する二つの斜面からなる凸部を有することを特徴とする。この構成により、排紙された記録用紙の奥側端面を規制することができ、かつ、排紙途中に排紙積載部を動かされても、排紙中の記録用紙には排紙積載部の傾斜面が当たるようにすることができる。
【００２８】
本請求項１４に係る発明は、平面形状の前記排紙積載部を有し、前記排紙積載部の前記用紙挿入口側と反対側の端面が、前記用紙基準より前記用紙挿入口側に引き出せないようにするためのストッパーを有し、前記ストッパーを解除するストッパー解除手段を有することを特徴とする。この構成により、排紙積載部の奥側端面が排紙された用紙より正面側に出ることを防止することができる。
【００２９】
本請求項１５に係る発明は、前記排紙積載部が収納された状態でロックするロック手段と、装置本体からの印字情報に基づき、前記ロック手段を制御する制御手段を有することを特徴とする。この構成により、印字中に排紙積載部を引き出せないようにロックすることができる。
【００３０】
本請求項１６に係る発明は、前記ロック手段に連動して、前記排紙積載部を排紙格納部より前記用紙挿入口側に押し出す押し出し手段を有することを特徴とする。この構成により、ロック解除に伴い排紙積載部を自動的に装置本体から押し出すことが可能となる。
【００３１】
本請求項１７に係る発明は、前記押し出し手段により前記排紙積載部が押し出される前に前記排紙積載部が前記用紙挿入口側に出ることを警告する警告手段を有することを特徴とする。この構成により、前記排紙積載部が出てくることを事前に警告することが可能となる。
【００３２】
本請求項１８に係る発明は、前記排紙積載部の底面よりも摩擦係数の高い部分、または、摩擦係数の高い部材を少なくとも１ヶ所以上、前記底面と略同一平面上に設けることを特徴とする。この構成により、排紙積載部底面と排出された記録用紙の間の摩擦力が大きくなり、滑りにくくなる。
【００３３】
以上、本発明を整理して要約すれば以下の構成に集約できる。
【００３４】
（１）記録用紙を給紙する給紙手段と、前記記録用紙を記録用紙搬送経路に沿って給送する給送手段と、前記記録用紙の搬送方向を１８０度転回させるためのＵ字形状をした記録用紙搬送経路と、前記記録用紙にインク吐出口からインクを吐出して記録するインクジェット記録ヘッドと、前記記録用紙を複数枚格納する用紙積載部と、前記インクジェット記録ヘッドにインクを供給する本体に固定された１つ、または、複数のインクタンクとを有する記録装置であって、前記搬送経路のＵ字形状内部に前記インクジェット記録ヘッドと、前記用紙積載部と、前記インクタンクを配置し、前記記録用紙の片側端面を用紙基準とするインクジェット記録装置において、前記搬送経路のＵ字形状の略円筒部の軸線に略平行な方向から前記記録用紙を前記用紙積載部に対して補充可能にする用紙挿入口を持ち、前記用紙積載部内部に格納されている前記記録用紙の用紙基準が前記用紙挿入口側に位置することを特徴とするインクジェット記録装置。
【００３５】
（２）記録用紙を給紙する給紙手段と、前記記録用紙を記録用紙搬送経路に沿って給送する給送手段と、前記記録用紙の搬送方向を１８０度転回させるためのＵ字形状をした記録用紙搬送経路と、前記記録用紙にインク吐出口からインクを吐出して記録するインクジェット記録ヘッドと、前記記録用紙を複数枚格納する用紙積載部と、前記インクジェット記録ヘッドを保持し前記搬送経路のＵ字形状の略円筒部の軸線と略平行に往復運動可能なキャリッジと、前記キャリッジに搭載されたインクタンクとを有する記録装置であって、前記搬送経路のＵ字形状内部に前記インクジェット記録ヘッドと、前記用紙積載部と、前記キャリッジと、前記インクタンクとを配置し、前記記録用紙の片側端面を用紙基準とするインクジェット記録装置において、前記軸線に略平行な方向から前記記録用紙を前記用紙積載部に対して補充可能にする前記用紙挿入口を持ち、前記用紙積載部内部に格納されている前記記録用紙の用紙基準が前記用紙挿入口側に位置することを特徴とすることを特徴とするインクジェット記録装置。
【００３６】
（３）前記インクジェット記録ヘッドが前記キャリッジに１つ以上搭載されており、前記インクジェット記録ヘッドと前記キャリッジとのどちらか片方に凸部、もう片方に凹部を有し、前記凸部、前記凹部が係合・離間可能であり、前記凸部、または前記凹部に連動する、前記インクジェット記録ヘッド、または、前記キャリッジに搭載された固定解除手段を有し、前記固定解除手段を動かすことで前記キャリッジと前記インクジェット記録ヘッドの係合を解除する構成を有する記録装置において、前記固定解除手段が前記用紙挿入口側、または上面に設けられており、また、前記インクジェット記録ヘッドが複数存在するときには、前記インクジェット記録ヘッドが前記キャリッジの往復運動方向に垂直な方向に並列されていることを特徴とする前記（２）に記載したインクジェット記録装置。
【００３７】
（４）前記インクジェット記録ヘッドが前記キャリッジに複数搭載されており、前記インクジェット記録ヘッドが前記キャリッジの往復運動方向に並列されている際に、それぞれの前記インクジェット記録ヘッドが、前記用紙挿入口側から見て位置をずらして配置されていることを特徴とする前記（２）に記載したインクジェット記録装置。
【００３８】
（５）前記インクタンクが１つ以上存在し、前記インクタンクに凸部、前記インクジェット記録ヘッドと前記キャリッジとのどちらか片方に凹部、もしくは、前記インクタンクに凹部、前記インクジェット記録ヘッドと前記キャリッジのどちらかに凸部、を有し、前記凸部、前記凹部が係合・離間可能であり、前記凸部、または前記凹部に連動する、前記インクジェット記録ヘッド、または、前記キャリッジ、または、前記インクタンクに、搭載された固定解除手段を有し、前記固定解除手段を動かすことで前記キャリッジと前記インクタンク、または、前記インクジェット記録ヘッドと前記インクタンクの係合を解除する構成を有する記録装置において、前記解除手段が前記用紙挿入口側、または、上面に設けられており、また、前記インクタンクが複数存在するときには、前記インクタンクがキャリッジの往復運動方向に垂直な方向に並列されていることを特徴とする前記（２）に記載したインクジェット記録装置。
【００３９】
（６）前記インクタンクが前記キャリッジ、または、前記インクジェット記録ヘッドに複数搭載されており、前記インクタンクが前記キャリッジの往復運動方向に並列されている際に、それぞれの前記インクタンクが、前記用紙挿入口側から見て位置をずらして配置されていることを特徴とする前記（２）に記載したインクジェット記録装置。
【００４０】
（７）前記記録用紙を、印字終了後、順次格納する排紙積載部を有し、前記排紙積載部は装置本体内の排紙格納部に格納され、前記排紙積載部が前記用紙挿入口側に引き出せることを特徴とする前記（１）または（２）に記載したインクジェット記録装置。
【００４１】
（８）前記排紙積載部が、前記排紙積載部の底面に対して垂直、かつ、前記用紙基準の反対側の用紙端面に沿ったガイド面を１つ、または、複数有し、前記ガイド面を、前記排紙積載部内の前記排紙積載部の底面よりも低い高さ、または、同じ高さに収納可能なことを特徴とする前記（７）に記載したインクジェット記録装置。
【００４２】
（９）前記排紙積載部が、前記排紙積載部の底面に対して垂直、かつ、前記用紙基準に平行な前記ガイド面を１つ有し、前記搬送経路のＵ字形状の略円筒部の軸線方向に前記ガイド面が移動可能なことを特徴とする前記（７）に記載したインクジェット記録装置。
【００４３】
（１０）前記排紙積載部底面の前記用紙挿入口側の反対側端部に、前記排紙積載部底面に対して垂直なストッパー面を有し、前記排紙積載部を引き出した時に前記ストッパーが通紙可能領域にさしかかる前に前記排紙積載部を止めるストッパーを有し、前記ストッパーを解除するストッパー解除手段を有することを特徴とする前記（７）に記載したインクジェット記録装置。
【００４４】
（１１）前記排紙積載部が、前記用紙挿入口側端部に前記排紙積載部の底面に対して垂直な前面を有し、排紙後、前記排紙積載部に格納された、印字可能である給送方向の長さの最小サイズの前記記録用紙が装置前方より視認可能であることを特徴とする前記（７）に記載したインクジェット記録装置。
【００４５】
（１２）前記前面の一部分を透明材にすることにより、印字可能である給送方向の長さの最小サイズの前記記録用紙が装置前方より視認可能となるようにしたことを特徴とする前記（１１）に記載したインクジェット記録装置。
【００４６】
（１３）前記排紙積載部底面の前記用紙挿入口側の反対側端部稜線に沿って、対向する二つの斜面からなる凸部を有することを特徴とする前記（７）に記載したインクジェット記録装置。
【００４７】
（１４）平面形状の前記排紙積載部を有し、前記排紙積載部の前記用紙挿入口側と反対側の端面が、前記用紙基準より前記用紙挿入口側に引き出せないようにするためのストッパーを有し、前記ストッパーを解除するストッパー解除手段を有することを特徴とする前記（７）に記載したインクジェット記録装置。
【００４８】
（１５）前記排紙積載部が収納された状態でロックするロック手段と、装置本体からの印字情報に基づき、前記ロック手段を制御する制御手段を有することを特徴とする前記（７）に記載したインクジェット記録装置。
【００４９】
（１６）前記ロック手段に連動して、前記排紙積載部を排紙格納部より前記用紙挿入口側に押し出す押し出し手段を有することを特徴とする前記（１５）に記載したインクジェット記録装置。
【００５０】
（１７）前記押し出し手段により前記排紙積載部が押し出される前に前記排紙積載部が前記用紙挿入口側に出ることを警告する警告手段を有することを特徴とする前記（１６）に記載したインクジェット記録装置。
【００５１】
（１８）前記排紙積載部の底面よりも摩擦係数の高い部分、または、摩擦係数の高い部材を少なくとも１ヶ所以上、前記底面と略同一平面上に設けることを特徴とする前記（７）に記載したインクジェット記録装置。
【００５２】
【発明の実施の形態】
（第１の実施例）
図１は本実施例の断面図、図２は断面図の一部を拡大したものである。図３は本実施例の左前上方からの斜視図、図４〜７は左前上方からの斜視図である。説明都合上、一部筐体（上面、前面など）を省略してある。
【００５３】
図２に示すように、本実施例は、記録ヘッド１１を保持し、往復運動させるキャリッジ１２を有するシリアルプリンタである。記録ヘッド１１を保持したキャリッジ１２がＵ字形状をした記録用紙搬送経路４０内部に配置され、記録ヘッド１１は鉛直下向きにインクを吐出するようにキャリッジ１２に保持されている。インクタンク１３は記録ヘッド１１上に搭載されている。
【００５４】
図１および図２に示すように、給紙カセット５０は排紙カセット６１の上方かつ記録用紙搬送経路４０のＵ字形状内部に配置されている。給紙カセット５０は記録装置１内に設けられたレール５７に沿って引き出し可能に係合されており、記録装置１から記録装置前面方向（図３中矢印ａ方向）に引き出し、記録用紙５のセットが可能になっている（図３）。
【００５５】
また、給紙カセット５０の上方には記録装置筐体の天板２のみが存在し、天板２は開放可能であり、天板２を開放することで、上方から給紙カセット５０へのアクセスが可能であるため、給紙カセット５０を引き出さなくとも、天板２を開放することでも用紙５のセットが可能、また、給紙部２０において紙ジャムが発生した場合でもジャム処理が容易となっている（図４）。
【００５６】
また、天板２を開放した状態で給紙カセット５０を引き出したときは、記録装置１上方から排紙部６０を覗くことができ、排紙部６０において紙ジャムが発生した場合、ジャム処理が容易に行える（図５）。
【００５７】
記録ヘッド１１、インクタンク１３には、前方に不図示の固定解除レバーが設けられ、記録装置１の前面には、装置前面に記録ヘッド１１とインクタンク１３を交換するための交換用カバー６３が設けられている。これらにより、前方から記録ヘッド１１とインクタンク１３の交換ができるようになっている（図４）。
【００５８】
給紙カセット５０は図８に示すように、主に枠体５１、圧板５２、サイドガイド５３、分離パッド５４、で構成されている。給紙カセット５０を引き出す、あるいは天板２を開いて給紙カセット５０にセットされた用紙５は、サイドガイド５３により紙幅方向の動きを規制される。
【００５９】
給紙カセット５０の下流側上方には給紙ローラ２１があり、不図示の駆動モータから動力を得て回転可能である。給紙部２０には給紙ローラ２１と同期して回転する不図示の回転カムがあり、回転カムは圧板作動レバー５５を介して圧板５２の上下動を制御することができる。圧板作動レバー５５には圧板５２を給紙ローラ２１に付勢する圧板バネ５６が係合されている（図９）。
【００６０】
また、図２に示すように、ガイド２２により、天板２を開放して記録用紙５を積載するときに、記録用紙５の端部が直接給紙ローラ２１に触れないようになっている。
【００６１】
図１および図２にあるように、分離部３０はリタード分離方式であり、記録用紙を記録部に送るフィードローラ３１、およびフィードローラ３１に圧接され、フィードローラ３１の回転方向と逆方向に回転して１枚の記録紙に分離するための分離ローラ３２で構成される。
【００６２】
分離ローラ３２には不図示のトルクリミッタが内包されており、分離ローラ３２に所定の負荷トルクがかかるとトルクリミッタが空転するようになっている。
【００６３】
分離ローラ３２は不図示のカム機構により可動であり、記録用紙搬送経路４０の内側への退避が可能である。
【００６４】
給紙ローラ２１のピックアップ面、分離部３０のニップ位置、および、記録用紙搬送経路４０の転回部分４０ｂの入口は、略同一平面上にあり、この間の記録用紙５の搬送経路はほぼ一直線となっており、装置高さの薄型化を図っている。
【００６５】
記録用紙搬送経路４０の転回部分４０ｂには、記録用紙５を記録部１０に送る中間搬送ローラ４２、および、中間搬送ローラ４２に対向し圧接されている中間ピンチローラ４１が配置されている。
【００６６】
記録用紙搬送経路４０の転回部分４０ｂを形成している外ガイドを備えたＵターンカバー３は、記録用紙搬送経路４０において紙ジャムが発生した場合のジャム処理用に、取り外し可能となっている。
【００６７】
記録用紙搬送経路４０の転回部分４０ｂ下流には、記録部１０があり、記録部１０は主に、インクタンク１３を搭載した記録ヘッド１１、記録ヘッド１１を保持するキャリッジ１２、プラテン１６、記録用紙５を搬送する紙送りローラ１４、および紙送りローラ１４に対向し圧接しているピンチローラ１５からなる。
【００６８】
記録部１０の下流には、記録用紙５を排紙カセット６１に排出する排紙ローラ１８および拍車１７が配置されている。
【００６９】
排紙カセット６１は給紙カセット５０の下方にあり、かつ記録装置前面方向（図６中矢印ａ方向）に引き出し可能であり、印刷済みの記録用紙５を取り出すことが可能となっている（図６）。
【００７０】
排紙部６０には、排紙カセット６１の有無を検知する不図示の排紙カセットセンサが備わっている（図７）。
【００７１】
例えば、排紙カセット６１が印刷済みの記録用紙５を取り出すために記録装置１から引き出されているときに印刷命令により印刷が行われ排紙されてしまうと、排紙カセット６１のない排紙部６０に排紙されてしまうため、印刷済みの記録用紙５が取り出し不能となる、あるいは排紙カセット６１を戻してしまうことによる紙ジャムが発生してしまう。このため、排紙センサ６２により、排紙カセット６１の有無を検知し、排紙カセット６１が引き出されているときは印刷を開始しないことで、記録用紙５の取り出し不能、あるいは紙ジャムを防ぐことができる。
【００７２】
また、図１１に示すように、排紙カセット６１の奥側には前方にも後方にも斜面を持った山状の凸部６２が設けられており、印字中にカセットの出し入れをしても、排紙中の記録用紙５が凸部６２の斜面に持ち上げられ、紙ジャムなどで記録用紙５に傷が付かないような構成になっている。
【００７３】
次に動作フローについて説明する。図１０は本実施例の動作フローチャートを示したものである。
【００７４】
記録用紙５は給紙カセット５０を記録装置１前面に引き出し（図中矢印ａ方向）、積載、または、給紙カセット５０を引き出さずに記録装置１の天板２を上方に開放し、装置上方から積載する。記録用紙５が積載された給紙カセット５０は記録装置１内に収められ、あるいは天板２を閉じられ、給紙待機状態となる（Ｓｔｅｐ１）。
【００７５】
給紙待機状態では、不図示の回転カムは圧板作動レバー５５を介して圧板５２を下方に押さえ込み、給紙カセット５０に積載されている記録用紙５の最上面と給紙ローラ２１が接触しない状態である。
【００７６】
不図示の制御コントローラが不図示のホストから印刷命令を受けると（Ｓｔｅｐ２）、制御コントローラは排紙カセットセンサにより排紙カセット６１の有無を確認する（Ｓｔｅｐ３）。
【００７７】
排紙カセット６１が引き出されている場合は印刷を開始することはなく、排紙カセット６１を記録装置１内に戻すよう、不図示の警告ランプを点灯させる（Ｓｔｅｐ４）。
【００７８】
排紙カセットセンサから排紙カセット６１ありの信号を制御コントローラが受けたとき、印刷を開始する（Ｓｔｅｐ５）。
【００７９】
制御コントローラから給紙信号を受け、駆動モータが回転し、給紙動作が始まる。給紙ローラ２１が回転すると、これと同期して不図示の回転カムが回転し、圧板作動レバー５５を介して圧板５２が給紙ローラ２１に付勢され、給紙カセット５０に積載されている複数の記録用紙５のうち最上位の記録用紙５が給紙ローラ２１に圧接される。給紙ローラ２１はこの最上位の記録用紙５１枚、もしくは最上位の記録用紙５を含む数枚をピックアップし、分離部３０へ搬送し、その後、再び回転カムにより圧板作動レバー５５を介して圧板５２が押し下げられ、給紙ローラ２１から記録用紙５を離す（Ｓｔｅｐ６）。
【００８０】
給紙ローラ２１により１枚の記録用紙５が給紙カセット５０から分離部３０に送られてきた際、分離ローラ３２はフィードローラ３１および記録用紙５との間の摩擦力によりトルクリミッタが空転して、フィードローラ３１と同方向につれ回りする。
【００８１】
また、複数枚の記録用紙５が分離部３０に送られてきた際は、分離ローラ３２と記録用紙５との間の摩擦力に対して、複数枚の記録用紙５間の摩擦力が小さいことからトルクリミッタは空転せずに分離ローラ３２は分離ローラ３２の駆動方向、つまりフィードローラ３１の回転方向と逆方向に回転する。
【００８２】
これにより、複数枚送られた記録用紙５の中のフィードローラ３１側、すなわち最上位の記録用紙５とそれ以外の記録用紙５とを分離し、記録部１０への記録用紙５の重送を防止するようになっている（Ｓｔｅｐ７）。
【００８３】
分離部３０により分離された１枚の記録用紙５は記録用紙搬送経路４０に沿って搬送され、やがて記録用紙搬送経路４０のＵ字形状である転回部分４０ｂに到達する。
【００８４】
給紙ローラ２１のピックアップ面、分離部３０のニップ位置、および、記録用紙搬送経路４０の転回部分４０ｂの入口までの記録用紙５の搬送経路４０ａはほぼ一直線となっているため、この領域での搬送負荷を低減することができる。
【００８５】
記録用紙搬送経路４０の転回部分４０ｂに突入した記録用紙５は、やがて中間搬送ローラ４２と中間ピンチローラ４１に挟み込まれ（Ｓｔｅｐ８）、中間搬送ローラ４２と中間ピンチローラ４１により記録用紙搬送経路４０の転回部分４０ｂに沿って搬送され、搬送方向を１８０度転回する（Ｓｔｅｐ９）。
【００８６】
搬送方向を１８０度転回した記録用紙５は、記録部１０に到達し、紙送りローラ１４とピンチローラ１５に挟み込まれる（Ｓｔｅｐ１０）。このとき、分離ローラ３２は記録用紙搬送経路４０の内側へ退避しており（Ｓｔｅｐ１１）、搬送負荷の低減に寄与している。この分離ローラ３２の退避するタイミングは中間搬送ローラ４２と中間ピンチローラ４１に記録用紙５が挟み込んだ後であればいつでもよく、中間搬送ローラ４２および紙送りローラ１４に十分な搬送力がある場合は、特に退避しなくともよい。
【００８７】
紙送りローラ１４とピンチローラ１５によって挟み込まれた記録用紙５は記録ヘッド１１により印刷され（Ｓｔｅｐ１２）、拍車１７および排紙ローラ１８によって排紙カセット６１に排出される（Ｓｔｅｐ１３）。
【００８８】
排紙カセット６１に排出された記録用紙５は排紙カセット６１を記録装置１から引き出すことにより、取り出すことができる（Ｓｔｅｐ１４）。
【００８９】
上述のように、本実施例によれば、シリアルプリンタにおいて、記録用紙搬送経路４０をＵ字形状に保ったまま、無駄なスペースをなくし、装置の薄型化を図ることができる。
【００９０】
また、例えば特開平１０−２５０１６３のように記録用紙の搬送経路にＳ字部分が発生しないため、搬送負荷を低減できる。
【００９１】
また、上記構成では、排紙カセット６１の上方に給紙カセット５０を配置したものであるが、記録用紙５の紙種を限定する、あるいは、積載枚数を少量にするなどすれば、給紙カセット５０を下にし、記録用紙５のうち最下位の記録用紙５を給紙ローラ２１により給紙する構成とすることも可能である。この場合、給紙カセット５０の上方に排紙カセット６１を配置できるため、記録用紙搬送経路４０のＵ字形状内部に排紙カセット６１も配置できるので、排紙カセット６１の高さ分が記録装置１の本体高さに影響を与えないため、より装置の薄型化を図ることができる。
【００９２】
（第２の実施例）
実施例１においては、インクタンクがキャリッジに固定されたシリアルプリンタについて述べた。
【００９３】
本実施例は、インクタンクが本体に固定されたシリアルプリンタである。
図１２は本実施例の正面図である。
【００９４】
給紙部、給紙カセット、分離部、記録用紙搬送経路の構成は実施例１と同一なので説明を省略する。また、装置全体のフローも実施例１と同一なので説明を省略する。
【００９５】
図１２に示すように、装置正面にブラックインクタンク１１３ａ、カラーインクタンク１１３ｂの端面が露出しており、装置正面から取り出せるようになっている。
【００９６】
また、ブラックインクタンク１１３ａおよびカラーインクタンク１１３ｂは、不図示の記録ヘッドの上方に位置し、不図示のインク供給チューブにより記録ヘッドに取り外し可能に連結されている。インクを使いきった場合には、使いきったブラックインクタンク１１３ａあるいはカラーインクタンク１１３ｂのみが交換可能になっている。
【００９７】
次に排紙カセットについて説明する。
【００９８】
排紙カセット１６１は給紙カセット１５０の下方にあり、実施例１と同様に、記録装置１００前面方向に引き出し可能で印刷済みの記録用紙５を取り出すことができるようになっている。排紙カセット１６１前面の一部には、排紙ローラ１１８から排紙された、排紙中の記録用紙１６４が見えるようにくり抜かれた排紙確認窓１６５が設けられている。この排紙確認窓１６５は排紙方向上流側に設けられており、対応する全サイズの記録用紙を確認できるように設けられている。
【００９９】
この排紙カセット１６１の前面すべてにこの排紙確認窓１６５を拡大すれば、さらに排紙された用紙の取り出しが容易になる。
【０１００】
また、この排紙確認窓１６５に透明部材をはめ込むことにより、排紙中の記録用紙１６４が見えるまま、防塵性を向上させることも可能である。
【０１０１】
上述のように、本実施例によれば、インクタンクが本体に固定されたシリアルプリンタにおいて、用紙挿入方向からインクタンクを交換することができ、また、記録ヘッドの近傍にインクタンクを配置できるので、記録ヘッドとインクタンク間の圧損失を抑えることができる。また、排紙カセット１６１前面の排紙方向上流側に排紙確認窓１６５を設けることにより、排紙部の視認性の向上、排紙された用紙の取り出しが容易になり、さらに、排紙確認窓１６５を透明材にすれば、防塵性も向上させることができる。
【０１０２】
（第３の実施例）
本実施例は、排紙カセット周りのフローについて主に説明をする。
【０１０３】
給紙部、給紙カセット、分離部、記録用紙搬送経路の構成は実施例１と同一なので説明を省略する。
【０１０４】
この記録装置の不図示の排紙カセットは不図示の制御手段からの命令により、自動で給紙挿入方向に引き出されることが可能な構成になっている。
【０１０５】
また、この記録装置は不図示の制御手段からの命令によりビープ音を出すことが可能になっている。
【０１０６】
では、図１３のフローチャートに従い、排紙カセット周りのシーケンスについて説明する。
【０１０７】
Ｓｔｅｐ１〜Ｓｔｅｐ１３は実施例１と同一なので説明を省略し、Ｓｔｅｐ１４より説明する。
【０１０８】
排紙後、不図示の制御手段からの命令により、警告音（ビープ音）を鳴らす（Ｓｔｅｐ１４）。
【０１０９】
不図示の制御手段からの命令により、排紙カセット１６１が自動で押し出される（Ｓｔｅｐ１５）。
【０１１０】
押し出された排紙カセット１６１から印字後の記録用紙５を取り出す（Ｓｔｅｐ１６）。
【０１１１】
印字後の記録用紙５を取り出したあと、排紙カセット１６１を記録装置本体に収納する（Ｓｔｅｐ１７）。
【０１１２】
上述のように、本実施例によれば、排紙カセット１６１を印字終了後に自動で押し出すことにより、排紙された記録用紙の取り出しが容易になり、また、排紙途中に排紙カセット１６１を使用者に引き出されることもないので排紙中の記録用紙５の傷も防止できる。
【０１１３】
また、排紙カセット１６１の押し出し前に警告音を出すことにより、排紙カセット１６１が周辺の物や使用者の手に当たることを防止でき、さらに、排紙終了を使用者に教えることができる。
【０１１４】
【発明の効果】
以上、説明してきたように、本発明の構成を用いれば、装置本体の奥行きを小さくし、インクタンクと記録ヘッド間の圧損失を抑え、また、インクタンクの交換の時に、交換時の操作性に優れ、さらに、排紙された記録用紙の視認性と排紙された用紙の取り扱いが容易なインクジェット記録装置を提供することができる。
【０１１５】
具体的には、本請求項１に係る発明により、本体に固定されたインクタンクを持つ記録装置においては、奥行きが狭い場所に設置でき、用紙挿入口側にインクジェット記録ヘッドとインクタンクの両方を近い距離で配置することができることから、インクタンクと記録ヘッド間の圧損失を小さくすることができ、また、記録用紙のセットと、排紙された記録用紙の取り出しが容易になる。
【０１１６】
本請求項２に係る発明により、キャリッジ上に固定されたインクタンクを持つ記録装置においては、装置本体の奥行きを小さくでき、また、用紙挿入方向と同じ方向からインクジェット記録ヘッドとインクタンクの交換が可能となり、インクタンクの交換の作業性が向上し、さらに、記録用紙のセットと、排紙された記録用紙の取り出しが容易になる。
【０１１７】
本請求項３に係る発明により、インクジェット記録ヘッドの交換が容易になる。
【０１１８】
本請求項４に係る発明により、複数のインクジェット記録ヘッドが前記キャリッジの往復運動方向に並列されている場合でも、インクジェット記録ヘッドの交換が容易になる。
【０１１９】
本請求項５に係る発明により、インクタンクの交換が容易になる。
【０１２０】
本請求項６に係る発明により、複数のインクタンクが前記キャリッジの往復運動方向に並列されている場合でも、インクタンクの交換が容易になる。
【０１２１】
本請求項７に係る発明により、排紙された記録用紙の取り出しがさらに容易になる。
【０１２２】
本請求項８に係る発明により、排紙積載部を引き出した時に排紙された記録用紙がずれるのを防止できるので、排紙された記録用紙の取り出しがさらに容易になる。
【０１２３】
本請求項９に係る発明により、より多くの排紙される用紙サイズに対応することができ、また、部品点数が少ないのでコストダウンを図ることができる。
【０１２４】
本請求項１０に係る発明により、排紙された用紙を引き出した時の、排紙途中の記録用紙の傷を防止することができる。
【０１２５】
本請求項１１に係る発明により、排紙中の記録用紙の視認性を向上させることができる。
【０１２６】
本請求項１２に係る発明により、防塵性を確保しながら、排紙中の記録用紙の視認性を向上させることができる。
【０１２７】
本請求項１３に係る発明により、排紙途中の記録用紙の傷を防止しながら、排紙積載部を引き出した時に排紙された記録用紙がずれるのを防止でき、排紙された記録用紙の取り出しがさらに容易になる。
【０１２８】
本請求項１４に係る発明により、排紙積載部が平面形状をしていることから、排紙積載部の引き出し距離を長くすることができ、排紙された記録用紙の取り出しがさらに容易になる。
【０１２９】
本請求項１５に係る発明により、印字途中に排紙積載部を引き出せないようにできるため、排紙途中の記録用紙の傷をさらに防止できる。
【０１３０】
本請求項１６に係る発明により、排紙積載部を自動的に装置本体から押し出すことができることから、排紙された記録用紙の取り出しがさらに容易になる。
【０１３１】
本請求項１７に係る発明により、排紙積載部が自動的に装置本体から押し出される前に警告することができることから、排紙積載部に人の手や物が当たるのを防止することができる。
【０１３２】
本請求項１８に係る発明により、簡単な構成で、排紙積載部を引き出した時に排紙された記録用紙がずれるのを防止でき、排紙された記録用紙の取り出しが容易になり、さらに、コストダウンをすることができる。
【図面の簡単な説明】
【図１】実施例１の断面図
【図２】実施例１の断面図の部分拡大図
【図３】実施例１の給紙カセットを引き出した際の左前上方斜視図（天板省略）
【図４】実施例１の天板を開放した際の左前上方斜視図
【図５】実施例１の天板を開放し、給紙カセットを引き出した際の左前上方斜視図
【図６】実施例１の排紙カセットを引き出した際の左前上方斜視図
【図７】実施例１の天板を開放した際の左前上方斜視図（前面省略）
【図８】実施例１の給紙カセットを示す図
【図９】実施例１の給紙カセット断面図
【図１０】実施例１の動作フローチャート
【図１１】排紙カセットの左前上方斜視図
【図１２】実施例２の正面図
【図１３】実施例３の動作フローチャート
【図１４】従来の実施例の図
【符号の説明】
１，１００　記録装置
２，１０２　天板
３　Ｕターンカバー
５　記録用紙
１０　記録部
１１　記録ヘッド
１２　キャリッジ
１３，１１３ａ，１１３ｂ　インクタンク
１４　紙送りローラ
１５　ピンチローラ
１６　プラテン
１７　拍車
１８，１１８　排紙ローラ
２０　給紙部
２１　給紙ローラ
２２　ガイド
３０　分離部
３１　フィードローラ
３２　分離ローラ
４０　記録用紙搬送経路
４１　中間ピンチローラ
４２　中間搬送ローラ
５０，１５０　給紙カセット
５１　給紙カセットの枠体
５２　圧板
５３　サイドガイド
５４　分離パッド
５５　圧板作動レバー
５６　圧板バネ
５７　レール
６０　排紙部
６１，１６１　排紙カセット
６２　凸部
６３　交換用カバー
１６４　排紙中の記録用紙
１６５　排紙確認窓
２５８　分離爪
【図１】
2004142314.tif 000003
【図２】
2004142314.tif 000004
【図３】
2004142314.tif 000005
【図４】
2004142314.tif 000006
【図５】
2004142314.tif 000007
【図６】
2004142314.tif 000008
【図７】
2004142314.tif 000009
【図８】
2004142314.tif 000010
【図９】
2004142314.tif 000011
【図１０】
2004142314.tif 000012
【図１１】
2004142314.tif 000013
【図１２】
2004142314.tif 000014
【図１３】
2004142314.tif 000015
【図１４】
2004142314.tif 000016